(57)【特許請求の範囲】
【請求項１】
建物外部の風向き、風速、外気温等の情報や、建物内部の室温等の情報を取得する環境情報取得手段と、
この環境情報取得手段によって取得した環境情報と、部屋の配置、開口部の位置、居住者の部屋割り等の建物内部情報とに基づいて、通風非対象の場所および風下にすべき場所を決定したうえで、建物内部の通風経路の候補を選出する通風経路選出手段とを備えており、
前記通風経路選出手段は、制御部と、建物内部の複数の通風経路の候補を選出するための通風経路選出プログラムと、を有しており、
前記通風経路選出プログラムに基づいて前記通風経路の候補を選出するに際し、
前記制御部は、任意に選択された通風対象の場所と前記環境情報とに基づいて通風経路の暫定候補を選出し、さらに、当該暫定候補の中から、通風非対象の場所や風下にすべき場所を含んだものを候補から外すことで、前記通風経路の正規候補を選出し、
居住者または前記制御部は、前記通風経路の正規候補の中から好適な通風経路を選択し、前記制御部は、その通風経路に対応する開口部の開閉制御を行うことを特徴とする通風経路選出システム。
【請求項２】
請求項１に記載の通風経路選出システムにおいて、
通風非対象の場所および風下にすべき場所は、臭気を発する部屋に設定されていることを特徴とする通風経路選出システム。
【請求項３】
請求項１または２に記載の通風経路選出システムにおいて、
通風非対象の場所および風下にすべき場所は、病人が居る部屋に設定されていることを特徴とする通風経路選出システム。
【請求項４】
請求項１〜３のいずれか一項に記載の通風経路選出システムにおいて、
通風非対象の場所は、他の部屋から独立して空調を行っている部屋に設定されていることを特徴とする通風経路選出システム。
【請求項５】
請求項１〜４のいずれか一項に記載の通風経路選出システムにおいて、
居住者の在・不在を検知する検知手段を備えており、
不在時における通風非対象の場所および風下にすべき場所は、臭気を発する部屋に設定されていることを特徴とする通風経路選出システム。
【請求項６】
請求項１〜５のいずれか一項に記載の通風経路選出システムにおいて、
前記通風経路に係る情報を居住者に報知するための報知手段を備えていることを特徴とする通風経路選出システム。
【請求項７】
請求項１〜６のいずれか一項に記載の通風経路選出システムにおいて、
通風対象の場所には、該通風対象の場所における換気回数の基準値が設定されており、
建物内部には通風補助装置が設置されており、この通風補助装置は、前記通風対象の場所における換気回数が基準値よりも少ない場合に稼働するように設定されていることを特徴とする通風経路選出システム。
【請求項８】
請求項１〜７のいずれか一項に記載の通風経路選出システムにおいて、
建物の外壁には、窓等の開口部を介しての人の侵入や外部からの視線を遮蔽しつつ通気を可能とするシャッター装置が設けられており、
このシャッター装置によって閉塞される窓等の開口部には、この開口部を開閉する建具が設けられており、この建具は、候補の中から居住者によって選択される通風経路に応じて開閉制御可能に設定されていることを特徴とする通風経路選出システム。
【請求項９】
請求項１〜８のいずれか一項に記載の通風経路選出システムにおいて、
玄関ドアおよび建物内部のドアは、候補の中から居住者によって選択される通風経路に応じて開閉制御可能に設定されていることを特徴とする通風経路選出システム。
【発明の詳細な説明】
【技術分野】
【０００１】
本発明は、風向き、風速、外気温、室温等の建物外部および建物内部の環境情報と、部屋の配置、開口部の位置、居住者の部屋割り等の建物内部情報とに基づいて通風経路の候補を選出する通風経路選出システムに関する。
【背景技術】
【０００２】
従来、建物外部からの風を建物内部に流入させて換気を行う際に、窓や扉を開けた場合の風の経路を表示する技術が知られている（例えば、特許文献１参照）。
このような技術によれば、風向き等の情報を考慮し、居住者に対して適正な通風経路を伝えることができるので、これに基づいて換気を行うだけで、居住者は快適な環境下で生活を送ることが可能となる。
【先行技術文献】
【特許文献】
【０００３】
【特許文献１】特開２００７−１１５０４１号公報
【発明の概要】
【発明が解決しようとする課題】
【０００４】
ところが、上述のような技術では、いずれの窓やドアを開けて換気すればよいかを居住者に伝えることはできるものの、通風が不要な場所や、なるべく通風経路の風下に配置すべき場所については考慮されていない。例えば、トイレやキッチンのように臭気を発する場所を通風経路の風上に配置してしまうと、当然、臭気は通風経路内を流通して建物内部全体に行き渡ってしまうことになる。
【０００５】
本発明の課題は、通風非対象の場所および風下にすべき場所を考慮した通風経路の候補の選出を可能とし、快適な生活環境を形成することができる通風経路選出システムを提供することを目的とする。
【課題を解決するための手段】
【０００６】
請求項１に記載の発明は、通風経路選出システム２０であって、例えば図１〜図７に示すように、建物１外部の風向き、風速、外気温等の情報や、建物１内部の室温等の情報を取得する環境情報取得手段（例えば、制御部２２、環境情報取得プログラム２６ａ）と、
この環境情報取得手段によって取得した環境情報（例えば、環境情報データ２７ａ）と、部屋（例えば、玄関２、１階寝室３、トイレ４等）の配置、開口部（例えば、玄関開口部２ａ、開口部３ａ、開口部３ｂ、開口部４ａ等）の位置、居住者の部屋割り等の建物内部情報（例えば、建物内部情報データ２７ｂ）とに基づいて、通風非対象の場所および風下にすべき場所を決定したうえで、建物１内部の通風経路（例えば、通風経路Ａ、通風経路Ｂ、通風経路Ｃ等）の候補を選出する通風経路選出手段（例えば、制御部２２、通風経路選出プログラム２６ｂ）とを備えており、
前記通風経路選出手段は、制御部２２と、建物１内部の複数の通風経路の候補を選出するための通風経路選出プログラム２６ｂと、を有しており、
前記通風経路選出プログラム２６ｂに基づいて前記通風経路の候補を選出するに際し、
前記制御部２２は、任意に選択された通風対象の場所と前記環境情報とに基づいて通風経路の暫定候補を選出し、さらに、当該暫定候補の中から、通風非対象の場所や風下にすべき場所を含んだものを候補から外すことで、前記通風経路の正規候補を選出し、
居住者または前記制御部２２は、前記通風経路の正規候補の中から好適な通風経路を選択し、前記制御部２２は、その通風経路に対応する開口部（例えば、開口部３ａ等）の開閉制御を行うことを特徴とする。
【０００７】
請求項１に記載の発明によれば、前記環境情報取得手段（例えば、制御部２２、環境情報取得プログラム２６ａ）によって取得した環境情報（例えば、環境情報データ２７ａ）と、前記建物内部情報（例えば、建物内部情報データ２７ｂ）とに基づき、前記通風経路選出手段（例えば、制御部２２、通風経路選出プログラム２６ｂ）によって、通風非対象の場所および風下にすべき場所を決定したうえで、通風経路（例えば、通風経路Ａ、通風経路Ｂ、通風経路Ｃ等）の候補を選出することができるので、居住者は、選出された候補の中から、通風非対象の場所および風下にすべき場所を考慮した通風経路を適宜選択することができる。
これによって、例えば通風によって、トイレ（例えば、トイレ４，１２）やキッチン（例えば、キッチン１０）の臭気が建物１内部全体に行き渡ってしまったり、他の部屋から独立して空調を行っている部屋の空気環境を阻害してしまったりすることを確実に防ぐことができるので、居住者にとって快適な生活環境を形成することが可能となる。
【０００８】
請求項２に記載の発明は、例えば図１〜図７に示すように、請求項１に記載の通風経路選出システム２０において、
通風非対象の場所および風下にすべき場所は、臭気を発する部屋（例えば、トイレ４，１２、キッチン１０）に設定されていることを特徴とする。
【０００９】
請求項２に記載の発明によれば、通風非対象の場所および風下にすべき場所は、臭気を発する部屋（例えば、トイレ４，１２、キッチン１０）に設定されているので、建物１内部に流入した風は、通風非対象の場所を避けるとともに、風下にすべき場所を最終通過場所として建物１の外部に排出されることになる。これによって、臭気が通風経路（例えば、通風経路Ａ、通風経路Ｂ、通風経路Ｃ等）を通じて建物１内部全体に行き渡ることを確実に防ぐことができる。
【００１０】
請求項３に記載の発明は、例えば図１〜図７に示すように、請求項１または２に記載の通風経路選出システム２０において、
通風非対象の場所および風下にすべき場所は、病人が居る部屋（例えば、１階寝室３、２階寝室１３、第１子供部屋１５、第２子供部屋１６等）に設定されていることを特徴とする。
【００１１】
請求項３に記載の発明によれば、通風非対象の場所および風下にすべき場所は、病人が居る部屋（例えば、１階寝室３、２階寝室１３、第１子供部屋１５、第２子供部屋１６等）に設定されているので、建物１内部に流入した風は、通風非対象の場所を避けるとともに、風下にすべき場所を最終通過場所として建物１の外部に排出されることになる。これによって、飛沫として空気中に飛散した病原体や、薬品臭が建物１内部全体に行き渡ることを確実に防ぐことができる。
【００１２】
請求項４に記載の発明は、例えば図１〜図７に示すように、請求項１〜３のいずれか一項に記載の通風経路選出システム２０において、
通風非対象の場所は、他の部屋から独立して空調を行っている部屋（例えば、１階寝室３、２階寝室１３、第１子供部屋１５、第２子供部屋１６等）に設定されていることを特徴とする。
【００１３】
請求項４に記載の発明によれば、通風非対象の場所は、他の部屋から独立して空調を行っている部屋（例えば、１階寝室３、２階寝室１３、第１子供部屋１５、第２子供部屋１６等）に設定されているので、建物１内部に流入した風は、通風非対象の場所を避けて建物１の外部に排出されることになる。これによって、他の場所から独立して空調を行っている場所の空気環境を、建物１内部に流入した風によって阻害されることなく、確実に保持することができる。
【００１４】
請求項５に記載の発明は、例えば図１〜図４，図７に示すように、請求項１〜４のいずれか一項に記載の通風経路選出システム２０において、
居住者の在・不在を検知する検知手段（例えば、人感センサー３３）を備えており、
不在時における通風非対象の場所および風下にすべき場所は、臭気を発する部屋（例えば、トイレ４，１２、キッチン１０）に設定されていることを特徴とする。
【００１５】
請求項５に記載の発明によれば、居住者の在・不在を検知する検知手段（例えば、人感センサー３３）を備えているので、居住者の在・不在を検知することができ、居住者の外出時にも通風を行ったり、反対に、居住者の不在を検知して通風を止めたりすることができる。
また、不在時における通風非対象の場所および風下にすべき場所は、臭気を発する部屋（例えば、トイレ４，１２、キッチン１０）に設定されているので、居住者の不在時に通風を行う際でも、臭気が通風経路（例えば、通風経路Ａ、通風経路Ｂ、通風経路Ｃ等）を通じて建物内部全体に行き渡ることを確実に防ぐことができる。
【００１６】
請求項６に記載の発明は、例えば図１に示すように、請求項１〜５のいずれか一項に記載の通風経路選出システム２０において、
前記通風経路（例えば、通風経路Ａ、通風経路Ｂ、通風経路Ｃ等）に係る情報を居住者に報知するための報知手段（例えば、制御部２２、出力部２３、報知プログラム２６ｄ）を備えていることを特徴とする。
【００１７】
請求項６に記載の発明によれば、前記通風経路（例えば、通風経路Ａ、通風経路Ｂ、通風経路Ｃ等）に係る情報を居住者に報知するための報知手段（例えば、制御部２２、出力部２３、報知プログラム２６ｄ）を備えているので、この報知手段によって、例えば複数の通風経路を選択肢として表示したり、通風経路の通風効果を表示したり、好適な通風経路をアドバイスしたりすることができる。これによって、居住者は、自身にとって好適な通風経路を任意に選択したり、通風経路の通風効果を適宜確認したり、アドバイスに従って通風経路を選択したりすることができるので、建物１内部において、居住者の意に沿った空気環境を容易に得ることができる。
【００１８】
請求項７に記載の発明は、例えば図１〜図７に示すように、請求項１〜６のいずれか一項に記載の通風経路選出システム２０において、
通風対象の場所（例えば、１階寝室３、２階寝室１３、第１子供部屋１５、第２子供部屋１６等）には、該通風対象の場所における換気回数の基準値が設定されており、
建物１内部には通風補助装置（例えば、シーリングファン３４、換気扇３５）が設置されており、この通風補助装置は、前記通風対象の場所における換気回数が基準値よりも少ない場合に稼働するように設定されていることを特徴とする。
【００１９】
請求項７に記載の発明によれば、前記通風補助装置は、前記通風対象の場所における換気回数が基準値よりも少ない場合に稼働するように設定されているので、建物１内部に風を流入させても通風対象場所の換気回数が基準値に達しないと判断された場合に、この通風補助装置によって通風補助を行うことができ、前記通風対象場所の換気回数を増加させることができる。
【００２０】
請求項８に記載の発明は、例えば図１〜図３に示すように、請求項１〜７のいずれか一項に記載の通風経路選出システム２０において、
建物１の外壁には、窓等の開口部（例えば、開口部３ａ等）を介しての人の侵入や外部からの視線を遮蔽しつつ通気を可能とするシャッター装置３７が設けられており、
このシャッター装置３７によって閉塞される窓等の開口部には、この開口部を開閉する建具（例えば、建具３ｃ）が設けられており、この建具は、候補の中から居住者によって選択される通風経路（例えば、通風経路Ａ、通風経路Ｂ、通風経路Ｃ等）に応じて開閉制御可能に設定されていることを特徴とする。
【００２１】
請求項８に記載の発明によれば、建物１の外壁に、窓等の開口部（例えば、開口部３ａ等）を介しての人の侵入や外部からの視線を遮蔽しつつ通気を可能とするシャッター装置３７が設けられているので、居住者の不在時や睡眠中であっても、前記窓等の開口部（例えば、開口部３ａ等）を開放して通風を行うことができる。これによって、居住者の不在時や睡眠中であっても建物１内部の空気環境を良好に保つことができるので、帰宅時における熱気等の不快感を軽減したり、真夏の夜の寝苦しさを解消したりすることができる。
【００２２】
請求項９に記載の発明は、例えば図１〜図７に示すように、請求項１〜８のいずれか一項に記載の通風経路選出システム２０において、
玄関ドア２ｂおよび建物１内部のドア（例えば、ドア３ｄ，７ｂ，１２ｂ等）は、候補の中から居住者によって選択される通風経路（例えば、通風経路Ａ、通風経路Ｂ、通風経路Ｃ等）に応じて開閉制御可能に設定されていることを特徴とする。
【００２３】
請求項９に記載の発明によれば、玄関ドア２ｂおよび建物１内部のドア（例えば、ドア３ｄ，７ｂ，１２ｂ等）は、候補の中から居住者によって選択される通風経路（例えば、通風経路Ａ、通風経路Ｂ、通風経路Ｃ等）に応じて開閉制御可能に設定されているので、居住者が通風経路を選択した際に、自動的に玄関ドア２ｂおよび建物１内部のドアを制御して開放、閉塞させることができる。これによって、建物１内部に風を流入させやすくなるとともに、居住者自身が玄関ドア２ｂや建物１内部のドアを開閉する手間を省くことができる。
【発明の効果】
【００２４】
本発明によれば、建物外部の風向き、風速、外気温等の情報や、建物内部の室温等の情報を取得する環境情報取得手段によって取得した環境情報と、部屋の配置、開口部の位置、居住者の部屋割り等の建物内部情報とに基づき、建物内部の通風経路の候補を選出する通風経路選出手段によって、通風非対象の場所および風下にすべき場所を決定したうえで、通風経路の候補を選出することができるので、居住者は、選出された候補の中から、通風非対象の場所および風下にすべき場所を考慮した通風経路を適宜選択することができる。
これによって、例えば通風によって、トイレやキッチンの臭気が建物内部全体に行き渡ってしまったり、他の部屋から独立して空調を行っている部屋の空気環境を阻害してしまったりすることを確実に防ぐことができるので、居住者にとって快適な生活環境を形成することが可能となる。
【図面の簡単な説明】
【００２５】
【図１】本発明に係る通風経路選出システムの概略構成を示すブロック図である。
【図２】図１の通風経路選出システムが採用される住宅の１階部分であり、通風経路の例を示す平面図である。
【図３】図１の通風経路選出システムが採用される住宅の１階部分であり、図２とは異なる通風経路の例を示す平面図である。
【図４】図３の住宅の２階部分を示す平面図である。
【図５】本発明に係る通風経路選出システムを利用した通風の流れを説明するためのフローチャートである。
【図６】図５に示す通風経路の候補の選出の処理内容を説明するためのフローチャートである。
【図７】外出モードを説明するためのフローチャートである。
【発明を実施するための形態】
【００２６】
以下、図面を参照して本発明の実施の形態について説明する。
図１は本発明に係る通風経路選出システムの一例を示すブロック図であり、図２〜図４は通風経路選出システムが採用される住宅の一例を示す平面図である。
図２〜図４において符号１は、住宅等の建物を示す。この建物１は２階建てであり、図２および図３は１階部分を示しており、図４は２階部分を示している。なお、図２の建物１の１階と、図３の建物１の２階とは同じ構成となっている。
また、説明の便宜上、図２〜図４中において上側が北の方向とされており、下側が南の方向とされている。
【００２７】
図２および図３に示すように、この建物１の１階部分には、複数の部屋や廊下、階段等が配置されている。
すなわち、建物１の南側の中央西寄りには玄関２が配置されている。この玄関２を構成する外壁には、建物１内部と外部とを連通する玄関開口部２ａが形成されており、この玄関開口部２ａには建具として玄関ドア２ｂが設けられている。
【００２８】
玄関２の西側には１階寝室３が配置されている。
この１階寝室３の南側の外壁には、窓としての開口部３ａが形成されており、北側の外壁には窓としての開口部３ｂが形成されている。また、前記開口部３ａには建具３ｃが設けられている。
また、この１階寝室３の東側に設けられている前記玄関２へと通じる出入口にはドア３ｄが設けられている。
【００２９】
玄関２の北側にはトイレ４が配置されている。
このトイレ４の北側の外壁には窓としての開口部４ａが形成されている。また、この開口部４ａには建具が設けられている。
また、このトイレ４の西側に設けられている前記玄関２へと通じる出入口にはドア４ｂが設けられている。
なお、トイレ４は、このトイレ４の東側に配置される脱衣洗面所および浴室とともに水廻り室を構成している。
【００３０】
玄関２とトイレ４との間には、東西方向に延在するとともに、前記第１寝室３の出入口とダイニング９（後述する）の出入口とをつなぐ廊下５が配置されている。
また、この廊下５の南側には、建物１の１階と２階とを接続する階段６が配置されている。この階段６は、折り返し階段とされており、図４に示すように、廊下５の上方にも配置されている。
【００３１】
玄関２の東側にはリビング（リビングルーム）７が配置されている。
このリビング７の南側の外壁には連窓である開口部７ａが形成されている。また、この開口部７ａには建具が設けられている。
また、このリビング７の西側に設けられている前記玄関２へと通じる出入口にはドア７ｂが設けられている。
【００３２】
リビング７の東側には、床に複数枚の畳が敷設されたタタミ室８が配置されている。
このタタミ室８の南側の外壁には、窓としての開口部８ａが形成されている。また、この開口部８ａには建具が設けられている。
【００３３】
タタミ室８の北側にはダイニング（ダイニングルーム）９が配置されている。
このダイニング９の東側の外壁には窓としての開口部９ａが形成されている。また、この開口部９ａには建具が設けられている。
また、このダイニング９の西側に設けられている前記廊下５へと通じる出入口にはドア９ｂが設けられている。
【００３４】
ダイニング９の北側にはキッチン（キッチンルーム）１０が配置されている。
このキッチン１０の北側の外壁には窓としての開口部１０ａが形成されている。この開口部１０ａには建具が設けられている。
【００３５】
前記リビング７と、タタミ室８と、ダイニング９と、キッチン１０との間には建具が設けられない状態で配置されている。すなわち、これら部屋７，８，９，１０は空間的に一体化されることによって他の部屋よりも広い大空間とされており、居住者全員が集う共用居住空間として使用されている。
【００３６】
図４に示すように、建物１の２階部分には、複数の部屋等が配置されている。
すなわち、建物１の２階中央には、前記階段６に連続するとともに、南北に延在する廊下１１が配置されている。階段６は、廊下１１の西側に配置されている。
【００３７】
廊下１１の北側にはトイレ１２が配置されている。
このトイレ１２の北側の外壁には窓としての開口部１２ａが形成されている。また、この開口部１２ａには建具が設けられている。
また、このトイレ１２の南側に設けられている前記廊下１１へと通じる出入口にはドア１２ｂが設けられている。
【００３８】
廊下１１の東側には２階寝室１３が配置されている。
この２階寝室１３の南側の外壁には、窓としての開口部１３ａが形成されており、東側の外壁には窓としての開口部１３ｂが形成されている。また、これら開口部１３ａ，１３ｂには建具がそれぞれ設けられている。
また、この２階寝室１３の西側に設けられている前記廊下１１へ通じる出入口にはドア１３ｃが設けられている。
【００３９】
２階寝室１３の北側には書斎１４が配置されている。
この書斎１４の北側の外壁には、窓としての開口部１４ａが形成されている。また、この開口部１４ａには建具が設けられている。
また、この書斎１４の西側に設けられている前記廊下１１へと通じる出入口にはドア１４ｂが設けられている。
【００４０】
階段６の北側には第１子供部屋１５が配置されている。
この第１子供部屋１５の北側の外壁には、窓としての開口部１５ａ，１５ｂが形成されている。また、これら開口部１５ａ，１５ｂには建具が設けられている。
また、この第１子供部屋１５の南側に設けられている前記階段６へと通じる出入口にはドア１５ｃが設けられている。
【００４１】
階段６の南側には第２子供部屋１６が配置されている。
この第２子供部屋１６の南側の外壁には、窓としての開口部１６ａ，１６ｂが形成されている。また、これら開口部１６ａ，１６ｂには建具が設けられている。
また、この第２子供部屋１６の東側に設けられている前記廊下１１へと通じる出入口にはドア１６ｃが設けられている。
【００４２】
前記階段６の西側であって、前記第１子供部屋１５と第２子供部屋との間には共用クローゼット１７が配置されている。
この共用クローゼット１７の北側および南側には、前記第１子供部屋１５からも、前記第２子供部屋１６からも出入りすることができるように出入口が設けられている。
【００４３】
建物１の１階の外部には、前記１階寝室３に隣接するとともに前記開口部３ｂを介して行き来が可能なウッドデッキが設けられている。また、建物１の２階の外部には、前記２階寝室１３および第２子供部屋１６に隣接するとともに前記開口部１３ａおよび開口部１６ａを介して行き来が可能なバルコニーが設けられている。
【００４４】
なお、前記玄関ドア２ｂや建具３ｃ、ドア３ｄ，４ｂ，７ｂ，９ｂ，１２ｂ，１３ｃ，１４ｂ，１５ｃ，１６ｃ、その他の建具には、図示はしないが、建具を開閉させて開口部を開放させたり閉塞させたりする開閉装置が取り付けられている。
この開閉装置は、建具を開閉制御する制御部と、建具を摺動させたり開閉させたりする駆動部と、建具を開放させた状態または閉塞した状態で固定するストッパー部とを備えており、この開閉装置の制御部は、後述する通風経路選出装置２１の制御部２２と接続されているものとする。
また、建物１内部に採用されるドア等の建具として、建物１内の比較的パブリックなスペースには格子戸を採用して通風効果の向上を図るようにしてもよい。また、壁に欄間を設けることによって、ドアを開けなくても通風ができるようにしてもよい。
【００４５】
一方、本実施の形態の通風経路選出システム２０は、図１に示すように、建物１内部に設けられる通風経路選出装置２１と、この通風経路選出装置２１と接続される風向・風量センサー３０、外気温センサー３１、室温センサー３２、人感センサー３３、シーリングファン３４、換気扇３５、エアコン３６、シャッター装置３７とを備えている。
前記風向・風量センサー３０、外気温センサー３１、室温センサー３２は、建物１外部および内部の環境情報を取得する環境情報取得手段として用いられている。
また、前記シーリングファン３４および換気扇３５は、通風補助装置として用いられている。この時、前記エアコン３６も通風補助装置の一つとして含めてもよいものとする。
なお、本実施の形態における通風経路とは、基本的に、建物１内部を通り抜けるようにして構成されたものであり、建物１を縦断したり、横断したりするものであることが望ましい。
【００４６】
通風経路選出装置２１は、各種プログラムを処理実行するための制御部２２と、通風経路の情報を含む各種の情報を居住者に報知するための出力部２３と、居住者からの指示等の情報を入力するための入力部２４と、各種プログラムや各種データを記憶格納しておくための記憶部２５と、センサー類３０，３１，３２，３３や空調設備類３４，３５，３６、シャッター装置３７との間でデータ等の送受信を行う通信部２８とを有している。
【００４７】
出力部２３は、画像を表示する表示モニタが用いられている。また、この表示モニタに限られるものではなく、音声によって諸情報を出力するスピーカーを用いるようにしてもよいし、表示モニタとスピーカーとを組み合わせて用いてもよい。また、テレビやパソコンを利用するなどしてもよく、本発明の趣旨を逸脱しない範囲で適宜変更可能である。
【００４８】
入力部２４は、例えば選出された通風経路を選択決定するための決定ボタンや、表示モニタに表示されるカーソルを操作するための操作ボタン等からなる操作部であり、表示モニタに表示される情報と組み合わせて用いることにより、居住者からの指示等の情報を入力できるようになっている。また、この入力部２４にはキーボードやタッチパネル等を採用してもよく、本発明の趣旨を逸脱しない範囲で適宜変更可能である。
【００４９】
記憶部２５は、各種プログラムが記憶格納されたプログラム記憶部２６と、各種データが記憶格納されたデータ記憶部２７とからなる。
【００５０】
プログラム記憶部２６には、建物１外部の風向き、風速、外気温等の情報や、建物１内部の室温等の情報を取得するための環境情報取得プログラム２６ａと、建物１内部の通風経路の候補を選出するための通風経路選出プログラム２６ｂと、候補として選出された通風経路および居住者によって選択された通風経路の効果を判定するための通風効果判定プログラム２６ｃと、居住者に報知すべき情報を表示モニタやスピーカーから出力して報知するための報知プログラム２６ｄとが記憶格納されている。
また、このプログラム記憶部２６には、その他にも、建物１内部を換気するうえで必要な機能を実行するための各種プログラムが記憶格納されているものとする。
【００５１】
データ記憶部２７には、取得した環境情報を含む環境情報データ２７ａと、前記玄関２、１階寝室３、トイレ４等の部屋の配置や、前記玄関開口部２ａ、開口部３ａ、開口部３ｂ、開口部４ａ等の開口部の位置や、居住者の部屋割り等の建物内部情報を含む建物内部情報データ２７ｂと、建物１の構造を考慮し、候補として選出可能な全ての通風経路の構成についての情報を含む通風経路データ２７ｃと、通風経路の構成や各開口部の建具に対して設定される通風抵抗値データ２７ｄとが記憶格納されている。
また、このデータ記憶部２７には、その他にも、建物１内部を換気するうえで必要なデータが記憶格納されているものとする。例えば、表示モニタに表示される画面デザインのパターンデータや、スピーカーから発せられるアナウンスのパターンデータ等が記憶されている。
【００５２】
通信部２８は、通風経路選出装置２１と、センサー類３０，３１，３２，３３や空調設備類３４，３５，３６、シャッター装置３７との間でデータ・情報の送受信を行うための装置であり、有線、無線あるいはこれらを組み合わせたものを採用する。
有線の場合は、建物１内部および建物１外部に、通風経路選出装置２１と、センサー類３０，３１，３２，３３や空調設備類３４，３５，３６、シャッター装置３７とを接続する導線を配置しておくようにする。
無線の場合は、センサー類３０，３１，３２，３３や空調設備類３４，３５，３６、シャッター装置３７にもそれぞれ無線通信手段を設けておき、この無線通信手段によって通風経路選出装置２１と、センサー類３０，３１，３２，３３や空調設備類３４，３５，３６、シャッター装置３７とを接続する。
【００５３】
このような通風経路選出装置２１は、前記通信部２８を介してセンサー類３０，３１，３２，３３や空調設備類３４，３５，３６、シャッター装置３７と接続されているので、これらセンサー類３０，３１，３２，３３や空調設備類３４，３５，３６、シャッター装置３７のコントローラとしても使用することが可能となる。
また、通風経路選出装置２１は、図示しない電源制御部を備えており、この通風経路選出装置２１の電源をＯＮ／ＯＦＦ切替できるようになっているものとする。
また、この通風経路選出装置２１にはカレンダー・時計機能が備えられており、日付けや時刻に対応した制御やタイマー機能などが使えるようになっている。
【００５４】
風向・風量センサー３０は、建物１外部に吹く風の向きと量を検知して計測するものであり、図示はしないが、建物１外部の複数箇所に配置されている。
平面視において概ね方形に形成されている建物の場合であれば、少なくとも建物の四方それぞれに、１つずつ以上配置することが望ましい。すなわち、平面視略方形の建物の場合は、少なくとも４つの風向・風量センサー３０が、建物の四方にそれぞれ配置されることになる。また、本実施の形態の建物１のように、平面視において外壁に凹部や凸部がある場合には、その平面形状や開口部との位置関係を考慮しながら、風向・風量センサー３０の位置を決定するのが好ましい。
そして、この風向・風量センサー３０は、前記通信部２８を介して制御部２２に接続されており、制御部２２の動作に応じて、建物１外部に吹く風の向きと量を検知して計測することができる。
【００５５】
外気温センサー３１は、建物１外部の気温を計測するものであり、図示はしないが、建物１外部の複数個所に配置されている。
平面視において概ね方形に形成されている建物であれば、季節や太陽の角度、その他の諸条件により建物の四方の気温が異なる場合があるため、少なくとも建物の四方それぞれに、１つずつ以上配置することが望ましい。
そして、この外気温センサー３１は、前記通信部２８を介して制御部２２に接続されており、制御部２２の動作に応じて、建物１外部の気温を計測することができる。
【００５６】
室温センサー３２は、建物１内部の気温を計測するものであり、図示はしないが、建物１内部の複数個所に配置されている。
本実施の形態においては、例えば、１階寝室３や２階寝室１３、子供部屋１５，１６等のように、ドアなどによって他の部屋から隔離可能に形成された部屋にはそれぞれ室温センサー３２が設けられている。また、リビング７等を含む共用居住空間や、玄関２および廊下５のように、一体化した空間には室温を検知計測できる範囲で適当数設けられているものとする。
そして、この室温センサー３２は、前記通信部２８を介して制御部２２に接続されており、制御部２２の動作に応じて、建物１内部の気温を計測することができる。
【００５７】
人感センサー３３は、居住者の在・不在を検知するものであり、建物１内部または外部において居住者を検知可能な場所に適宜数配置されている。なお、人感センサー３３としては、例えば赤外線センサー、光センサー、超音波センサー等が用いられる。
本実施の形態においては、図示はしないが、人感センサー３３は、生活動線上に効率よく配置されている。少なくとも玄関２、廊下５、階段６、リビング７等を含む共用居住空間、廊下１１に配置されていることが望ましい。
そして、この人感センサー３３は、前記通信部２８を介して制御部２２に接続されており、制御部２２の動作に応じて、居住者の在・不在を検知することができる。
【００５８】
シーリングファン３４は、図示はしないが、回転駆動部と、この回転駆動部によって回転駆動する駆動軸と、駆動軸の下端に取り付けられた羽根とを備えて構成されており、屋根に形成された天窓や排気塔等の下方に位置するようにして天井や壁等に取付固定されている。
本実施の形態のシーリングファン３４は、図示はしないが、階段６の上方に配置されており、天窓が階段６上方の屋根に設けられているものとする。このようにシーリングファン３４を配置することによって１階から２階に向かう空気の流れを形成しやすくなる。
なお、このシーリングファン３４は駆動制御部を備え、前記回転駆動部の回転駆動を制御できるようになっている。
そして、この駆動制御部は、前記通信部２８を介して制御部２２に接続されており、制御部２２の動作に応じた駆動制御と、制御部２２の動作に関係なく通風経路選出装置２１から独立した駆動制御とができるように設定されている。すなわち、シーリングファン３４のＯＮ／ＯＦＦ切替や運転の強弱切替等が、通風経路選出装置２１からでも独自にも制御できるようになっている。
【００５９】
換気扇３５は、図示はしないが、キッチン１０や、トイレ４，１２、浴室を始めとする各部屋に設けられており、部屋の壁や天井に形成された換気孔に取り付けられている。その他の部屋にも適宜設けるようにしてもよいものとする。
この換気扇３５も前記シーリングファンと同様に自身の回転駆動を制御する駆動制御部を備えている。そして、前記通信部２８を介して制御部２２に接続されており、制御部２２の動作に応じた駆動制御と、制御部２２の動作に関係なく通風経路選出装置２１から独立した駆動制御とができるように設定されている。すなわち、換気扇３５のＯＮ／ＯＦＦ切替や運転の強弱切替等が、通風経路選出装置２１からでも独自にも制御できるようになっている。
【００６０】
エアコン３６は、図示はしないが、建物１内部の複数個所に配置されている。
本実施の形態においては、例えば、１階寝室３や２階寝室１３、子供部屋１５，１６等のように、ドアなどによって他の部屋から隔離可能に形成された部屋にはそれぞれエアコン３６が設けられている。また、リビング７等を含む共用居住空間のように、一体化した空間には適当数設けられているものとする。
また、このエアコン３６も独自の制御部を備えており、前記通信部２８を介して制御部２２に接続されている。したがって、制御部２２の動作に応じた制御と、制御部２２の動作に関係なく通風経路選出装置２１から独立した制御とができるように設定されている。すなわち、エアコン３６のＯＮ／ＯＦＦ切替や、運転モード（冷房・暖房・除湿など）の切替、風量の調節、風向の調節等が、通風経路選出装置２１からでも独自にも制御できるようになっている。
【００６１】
なお、前記天窓およびシーリングファン３４と、換気扇３５と、エアコン３６と、これらシーリングファン３４と換気扇３５とエアコン３６とを制御する制御装置（図示せず）とによって、前記通風経路選出システム２０とは異なる換気システムを動作させることができる。
すなわち、この換気システムは、温かい空気が上昇する性質を利用し、前記シーリングファン３４と換気扇３５の運転によって部屋の天井付近にこもる熱気を抜きながら自然の風を取り込む構成となっている。また、エアコン３６を補助的に運転させることで、換気システム自体の運転時間を低減させることができるようになっている。
このような換気システムの制御装置は、前記通風経路選出装置２１の制御部２２に接続されており、この制御部２２の動作に応じた制御と、制御部２２の動作に関係なく通風経路選出装置２１から独立した制御とができるように設定されている。すなわち、換気システムを独自に動作させることもでき、通風経路選出装置２１と連動して動作させることができる。
【００６２】
シャッター装置３７は、窓等の開口部を介しての人の侵入や外部からの視線を遮蔽しつつ通気を可能とするものであり、図２および図３に示すように、本実施の形態においては前記開口部３ａが形成された建物１の外壁に設けられている。
このシャッター装置３７は、複数のスラットと、スラットが回転することにより他のスラットとの間に形成される通気部とを有するシャッターカーテンを備えている。また、このシャッターカーテンは、外壁に固定されたガイドレールに対して、摺動可能かつ強固に取り付けられており、防犯性に優れる。
また、このシャッター装置３７も独自の制御部を備えており、前記通信部２８を介して制御部２２に接続されている。したがって、制御部２２の動作に応じた制御と、制御部２２の動作に関係なく通風経路選出装置２１から独立した制御とができるように設定されている。すなわち、シャッターカーテンの巻き上げ／巻き下げ動作や、スラットの回転動作等が、通風経路選出装置２１からでも独自にも制御できるようになっている。
【００６３】
次に、以上のような通風経路選出システムを利用した通風経路選出方法と、この通風経路選出方法を含む建物の換気方法について説明する。
まず、前記記憶部２５のデータ記憶部２７に、建物１の内部情報のデータ２７ｂを記憶させておく。
建物内部情報データ２７ｂは、建物１内部の部屋の配置や開口部の位置、居住者の部屋割り等の情報を含む基本データと、居住者によって入力設定される通風対象の場所や、通風非対象の場所、風下にすべき場所等の情報を含む追加データとからなる。
【００６４】
基本データのうち、部屋の配置や開口部の位置の情報は、リフォーム時を除いて建物完成後に大きく変更されにくいことから、居住者によって設定してもよいし、建築業者が予め設定しておいてもよい。部屋割りについても、一旦、居住者間で検討が済み、部屋割りされた後は大きく変更されにくい。したがって、これら部屋の配置等の情報は、基本データとして予め記憶しておくようにする。
【００６５】
追加データのうちの通風対象の場所とは、建物１内部に風を取り込んで、この風によって特に換気を行いたい場所を指している。
また、通風非対象の場所とは、建物１内部に風を取り込んだ際に、風を通過させない場所を指している。
また、風下にすべき場所とは、建物１内部に風を取り込んだ際に、通風経路上の風上にしたくない場所を指している。
【００６６】
また、追加データの通風非対象の場所および風下にすべき場所のうち、予め設定しておける場所は予め設定しておくようにする。
すなわち、このように予め設定しておける風下にすべき場所としては、例えば、トイレ４，１２やキッチン１０のように、部屋の配置を変更できず、かつ臭気を発する部屋が挙げられる。この臭気を発する部屋は、風を通過させない通風非対象の場所としてもよい。
なお、トイレ４，１２と、キッチン１０両方が選出された通風経路上にある場合は、キッチン１０よりもトイレ４，１２を風下にする。
トイレ４，１２やキッチン１０は、建物１内部における配置場所を容易に変更できる部屋ではないことから、居住者によって設定される追加データでありながら、基本データの性質に限りなく近いものとなっている。
また、この臭気を発する部屋は、居住者の不在時における通風非対象の場所および風下にすべき場所にも設定されている。
【００６７】
なお、その他にも部屋の配置を変更できない風下にすべき場所として、浴室が挙げられる。すなわち、夏季や梅雨時のように湿度の高い季節に、浴室を風上にしてしまうと湿度の高い空気が建物１内部に行き渡ってしまい、快適な生活環境を形成しにくい場合がある。逆に冬季のように空気が乾燥する季節では、浴室を、通風経路上の風上に設定してもよく、特に入浴直後の浴室を通風経路の風上にすると、湿度の高い空気が建物１内部に行き渡るので好ましい。つまり、浴室を通風経路上に配置する場合は、天気や季節等を十分に考慮することが望ましい。
【００６８】
また、その他の風下にすべき場所としては、例えば、病人が居る部屋が挙げられる。病人が居る部屋は、居住者同士の部屋割りに応じたものであり、どの居住者が病人になるかは不確定である。したがって、病人となった居住者の寝室を、風下にすべき場所として、その都度設定する。なお、この病人が居る部屋は、風を通過させない通風非対象の場所としてもよい。
なお、トイレ４，１２と、病人が居る部屋の両方が、選出された通風経路上にある場合は、基本的にトイレ４，１２を風下とし、伝染性の強い病気である場合は、風を、居住者の多くが使用するトイレを通過させずに外部に排出するようにする。
【００６９】
また、風を通過させない通風非対象の場所としては、上述の臭気を発する場所や病人が居る部屋だけでなく、他の部屋から独立して空調を行っている部屋が挙げられる。すなわち、例えばエアコン３６等によって、居住者個々の好みに合わせて部屋の温度の冷・暖を調節したり、ヒートショック対策として脱衣所等の温度を調節したりする場合がある。
このような独立して空調を行う場所は、通風経路の候補を選出する際に、その都度設定する。また、他の部屋から独立して空調を行っている部屋は、その設定が解除されるまで、通風非対象の状態が継続するように設定されている。
【００７０】
追加データのうち、トイレ４，１２やキッチン１０のように予め設定しておける場所の情報を含むものを、説明の便宜上、第１追加データと称する。また、浴室や病人が居る部屋、他の部屋から独立して空調を行っている部屋のように通風経路選出の際に設定する場所の情報を含むものを、説明の便宜上、第２追加データと称する。
前記記憶部２５のデータ記憶部２７に記憶する建物内部情報データ２７ｂは、予め記憶された基本データと、これら第１追加データおよび第２追加データを含む追加データとからなる。
そして、通風経路選出システム２０を建物１に導入する際には、前記基本データと第１追加データとを建物内部情報データ２７ｂの一部として予め前記記憶部２５のデータ記憶部２７に記憶させておく。すなわち、建物内部情報データ２７ｂとして予め記憶させておけるものは、予め記憶させておき、換気を行おうとする際にすぐに換気を開始できるようにしておく。
【００７１】
建物の換気を行おうとする際には、まず、図５に示すように、居住者が通風対象場所を選択する（ステップＳ１）。この時、例えば表示モニタに、図２〜図４に示すような建物１の間取り図を表示し、居住者が通風対象場所を選べるようにする。
なお、このように居住者がシステムに対して情報入力したり、データを記憶させたりする際は、入力部２４を用いて行うようにする。
【００７２】
なお、通風対象場所として選択可能な部屋には、予め、換気回数の基準値が設定されている。
ここで、換気回数とは、室内の空気が１時間に何回外気と入れ替わるかを表した数値であり、換気量を室内の容積で割った値となっている。単位は「回／時間（ｈ）」で表される。また、本実施の形態において、換気回数の基準値は、「自立循環型住宅への設計ガイドライン（国土交通省国土技術政策総合研究所・独立行政法人建築研究所監修、財団法人 建築環境・省エネルギー機構発行）」に則り、１０回／ｈを目安とする。また、本実施の形態では、所定の時間（例えば１０分）内にどれだけ換気が行われたかを確認することで、予測値として１時間の換気回数を計測する。したがって、建物１内部にも空気の流れを検知するセンサー（気流センサー）を複数設置することになる。
また、室内の容積および換気回数の基準値データは、前記建物内部情報データ２７ｂに含まれており、部屋ごとに設定されているものとする。また、換気回数の基準値データは、１０回／ｈを目安とし、昼と夜、季節等に応じて設定されており、上述のカレンダー・時計機能に基づいて判断できるようになっている。例えば、昼は夜よりも気温が高いため、昼の換気回数は、夜の換気回数よりも多く設定されている。
【００７３】
続いて、環境情報取得プログラム２６ａに基づいて建物１外部および内部の環境情報データ２７ａを取得する（ステップＳ２）。
すなわち、前記風向・風量センサー３０、外気温センサー３１によって建物１外部の風の風向・風量を計測するとともに外気温を計測し、室温センサー３２によって建物１内部の室温を計測し、これら計測結果を環境情報データ２７ａとしてデータ記憶部２７に記憶する。
【００７４】
続いて、通風経路選出プログラム２６ｂに基づいて通風経路の候補を選出する。
通風経路選出プログラム２６ｂは、建物１内部の室温が外気温以上である場合に通風経路の選出を行うように設定されており、まず、前記環境情報取得プログラム２６ａに基づいて取得した室温と外気温とを比較する（ステップＳ３）。
この時、室温が外気温よりも低い場合は、暖かい空気を建物１内に取り込んでしまい、建物１内の温度が上昇してしまう場合があるため、通風経路の選出および建物の換気を終了する。
【００７５】
室温が外気温以上である場合は、外気温が３０度以上であるか否かを判定する（ステップＳ４）。
外気温が３０度以上である場合は、上述の通風経路選出システム２０とは異なる換気システムによってエアコン３６を補助的に運転させて室温の低下と、暖かい空気の上昇を促すようにする（ステップＳ５）。なお、この通風経路選出システム２０とは異なる換気システムを導入しない場合は、ステップＳ４およびステップＳ５は省略する。
【００７６】
外気温が３０度以下である場合は、通風経路の候補の選出を行う（ステップＳ６）。
なお、詳細については後述するが、このステップＳ６では、ステップＳ１以前に設定記憶された建物内部情報データ２７ｂと、前記通風経路データ２７ｃとに基づいて、通風非対象の場所および風下にすべき場所を決定したうえで、建物１内部の通風経路の候補を選出する（ステップＳ１２〜ステップＳ１９）。
また、このステップＳ６における通風経路の候補選出時には、通風効果判定プログラム２６ｃおよび前記通風抵抗値データ２７ｄに基づいて、通風経路の候補ごとに通風効果を算出できるようになっている。
【００７７】
続いて、報知プログラム２６ｄに基づき、通風経路の情報を、表示モニタおよびスピーカー等の出力部２３を用いて居住者に報知する（ステップＳ７）。報知される内容としては、例えば複数の通風経路候補の選択肢や、候補に挙がった通風経路の通風効果のアドバイス等が挙げられる。
居住者は、このように選出された通風経路の候補の中から、任意の通風経路を、建物の換気を行うための正規の通風経路として選択する（ステップＳ８）。
【００７８】
続いて、通風効果判定プログラム２６ｃと、前記建物内部情報データ２７ｂに含まれた通風対象場所の部屋の容積および換気回数の基準値データに基づいて、該通風対象場所の通風効果が、換気回数において基準値以上であるか否かを判定する（ステップＳ９）。
ここで、換気回数が基準値よりも少なければ、例えば、前記シーリングファン３４、換気扇３５等を通風補助装置として稼働させる（ステップＳ１０）。すなわち、これらシーリングファン３４および換気扇３５を稼働させることにより、通風量を向上させることができる。
一方、換気回数が基準値以上であれば、選択された通風経路に応じて、例えば前記玄関ドア２ｂや建具３ｃ、ドア３ｄ，４ｂ，７ｂ，９ｂ，１２ｂ，１３ｃ，１４ｂ，１５ｃ，１６ｃ、その他の建具を適宜制御し、開口部を開放させる（ステップＳ１１）。
以上のようにして通風経路を選出し、建物の換気を始めることができる。なお、このような換気は、居住者の任意やタイマー等によってシステムを終了させたり、環境情報に基づいて自動的に終了させたりすることができる。
【００７９】
なお、正規の通風経路の補助として正規の通風経路とは別の通風経路を新たに追加選択できるようにしてもよい。すなわち、例えば図３および図４に示す建物１では、１階から２階にかけて風を通過させる通気経路Ｆが補助的に用いられている。
【００８０】
次に、上述のステップＳ６について詳細に説明する。
まず、図６に示すように、前記通風経路選出プログラム２６ｂと、環境情報取得プログラム２６ａによって取得した環境情報データ２７ａと、ステップＳ１で居住者によって選択された通風対象場所の情報とに基づいて、建物１のいずれの開口部から風を取り込むことができるかを判定し、風の入り口となる開口部を少なくとも１つ選択する（ステップＳ１２）。
【００８１】
続いて、建物１の構造を考慮し、候補として選出可能な全ての通風経路の構成についての情報を含む通風経路データ２７ｃのうち、通風対象場所と、風の入り口として選択された開口部とを含む通風経路を、暫定候補として選出する（ステップＳ１３）。
すなわち、通風対象場所と、風の入り口として選択された開口部を含む通風経路であれば無作為に選出されることになる。
【００８２】
前記通風経路選出プログラム２６ｂと、建物内部情報データ２７ｂと、通風経路データ２７ｃとに基づいて、選出された通風経路の暫定候補の中に、経路上に風下にすべき場所を含んだものがあるか否かを判定する（ステップＳ１４）。この時、選出された全ての通風経路の暫定候補について判定を行うものとする。
選出された通風経路の暫定候補の中に、経路上に風下にすべき場所を含んだものがある場合は、経路上に風下にすべき場所がある通風経路の暫定候補を、暫定候補から外す（ステップＳ１５）。
【００８３】
選出された通風経路の暫定候補の中に、経路上に風下にすべき場所を含んだものがない場合、もしくは経路上に風下にすべき場所がある通風経路の暫定候補を、暫定候補から外した後、残りの通風経路の暫定候補の中から、通風非対象の場所を含んだものを候補から外す。この際、まず、システム側は、居住者に対して通風非対象にしたい場所があるか否かを確認する（ステップＳ１６）。
【００８４】
通風非対象にしたい場所がある場合、居住者は、入力部２４を利用して通風非対象にしたい場所を選択して入力する（ステップＳ１７）。
システム側は、風下にすべき場所がある通風経路の暫定候補を外した後の残りの通風経路の暫定候補の中から、居住者が入力した通風非対象の場所を含んだ通風経路の暫定候補を、暫定候補から外す（ステップＳ１８）。
【００８５】
風下にすべき場所がある通風経路の暫定候補を外した後の残りの通風経路の暫定候補の中に、居住者が入力した通風非対象の場所を含んだものがない場合、もしくは通風非対象の場所を含んだ通風経路の暫定候補を、暫定候補から外した後、残った通風経路の候補を正規候補とし、これら通風経路の正規候補の通風効果を算出する（ステップＳ１９）。
通風経路の正規候補の通風効果の算出は、通風効果判定プログラム２６ｃおよび前記通風抵抗値データ２７ｄに基づいて行われる。
この通風抵抗値データ２７ｄは、通風経路の構成や各開口部の建具に対して設定されるものであり、予めデータ記憶部２７に記憶されている。すなわち、この通風抵抗値データ２７ｄは、例えば建具や障害物、コーナー等を数値に換算したものであり、この通風抵抗値データ２７ｄを利用し、通風効果判定プログラム２６ｃに基づいて、通風経路の通風効果を算出する。
例えば、通風経路上にいくつ建具があるか、いくつ障害物があるか、いくつコーナーがあるか、建具を開放した場合、建具を閉塞した場合等によって通風効果は変動する。したがって、選出された通風経路が、障害物もなく一直線に構成されていれば通風効果が高くなるというものである。
【００８６】
次に、居住者の外出中における通風経路選出方法と、この通風経路選出方法を含む建物の換気方法について説明する。以下、居住者の外出中における通風経路選出方法を外出モードと称する。これに対し、上述の通常の通風経路選出方法については通常モードと称するものとする。
なお、この外出モードの説明においては、上述した通常の通風経路選出方法とは異なる構成部分について詳細に説明し、同じ構成部分については概要のみ説明する。
【００８７】
この外出モードでは、図７に示すように、まず、居住者が外出開始時間の設定を行う（ステップＳ２０）。前記通風経路選出装置２１にはカレンダー・時計機能が備えられており、日付けや時刻に対応した制御やタイマー機能などが使えるので、この機能を利用して外出開始時間の設定を行うようにする。したがって、外出モードでは、居住者が設定した外出開始時間になったら自動的に通風経路の選出および建物の換気を行うことができる。
なお、このステップＳ２０では、外出開始時間だけでなく、帰宅予定時間の設定も行えるようにしてもよいものとする。
【００８８】
続いて、システム側は、居住者に対して通風非対象にしたい場所があるか否かを確認する（ステップＳ２１）。
通風非対象にしたい場所がある場合、居住者は、入力部２４を利用して通風非対象にしたい場所を選択して入力する（ステップＳ２２）。このステップＳ２２で選択された通風非対象場所は、後工程で通風経路の暫定候補を選出する際に参照される。
【００８９】
続いて、通風非対象にしたい場所がない場合、もしくは通風非対象にしたい場所を選択した後に、人感センサー３３が作動する（ステップＳ２３）。
そして、人感センサー３３によって居住者の在・不在を確認し（ステップＳ２４）、居住者がまだ在宅であれば、不在になるまで検知動作を続ける。
居住者が不在となった後、前記環境情報取得プログラム２６ａに基づいて建物１外部および内部の環境情報データ２７ａを取得する（ステップＳ２５）。
【００９０】
続いて、通風経路選出プログラム２６ｂに基づいて通風経路の候補を選出する。
まず、前記環境情報取得プログラム２６ａに基づいて取得した室温と外気温とを比較する（ステップＳ２６）。
この時、室温が外気温よりも低い場合は、暖かい空気を建物１内に取り込んでしまい、建物１内の温度が上昇してしまう場合があるため、建物１内部の室温が外気温以上になるまで断続的に環境情報の取得を行う。
【００９１】
室温が外気温以上である場合は、外気温が３０度以上であるか否かを判定する（ステップＳ２７）。
外気温が３０度以上である場合は、エアコン３６を補助的に運転させて室温の低下と、暖かい空気の上昇を促すようにする（ステップＳ２８）。
【００９２】
続いて、前記通風経路選出プログラム２６ｂと、環境情報取得プログラム２６ａによって取得した環境情報データ２７ａと、ステップＳ２２で居住者によって選択された通風非対象場所の情報とに基づいて、建物１のいずれの開口部から風を取り込むことができるかを判定し、風の入り口となる開口部を少なくとも１つ選択する（ステップＳ２９）。
【００９３】
続いて、建物１の構造を考慮し、候補として選出可能な全ての通風経路の構成についての情報を含む通風経路データ２７ｃのうち、通風非対象場所を含まず、かつ風の入り口として選択された開口部を含む通風経路を、暫定候補として選出する（ステップＳ３０）。
すなわち、通風非対象場所を含まず、かつ風の入り口として選択された開口部を含む通風経路であれば無作為に選出されることになる。
【００９４】
続いて、選出された通風経路の暫定候補の中に、経路上に風下にすべき場所を含んだものがあるか否かを判定する（ステップＳ３１）。
選出された通風経路の暫定候補の中に、経路上に風下にすべき場所を含んだものがある場合は、経路上に風下にすべき場所がある通風経路の暫定候補を、暫定候補から外す（ステップＳ３２）。
【００９５】
選出された通風経路の暫定候補の中に、経路上に風下にすべき場所を含んだものがない場合、もしくは経路上に風下にすべき場所がある通風経路の暫定候補を、暫定候補から外した後は、残った通風経路の候補を正規候補とし、これら通風経路の正規候補の通風効果を算出する（ステップＳ３３）。
そして、これら通風経路の正規候補のうち、最も通風効果の高いものを正規の通風経路として選択する（ステップＳ３４）。
【００９６】
続いて、通風効果判定プログラム２６ｃと、前記建物内部情報データ２７ｂに含まれた通風対象場所の部屋の容積および換気回数の基準値データに基づいて、該通風対象場所の通風効果が、換気回数において基準値以上であるか否かを判定する（ステップＳ３５）。
ここで、換気回数が基準値よりも少なければ、例えば、前記シーリングファン３４、換気扇３５等を通風補助装置として稼働させて（ステップＳ３６）、通風量の向上を図る。
一方、換気回数が基準値以上であれば、選択された通風経路に応じて、例えば前記玄関ドア２ｂや建具３ｃ、ドア３ｄ，４ｂ，７ｂ，９ｂ，１２ｂ，１３ｃ，１４ｂ，１５ｃ，１６ｃ、その他の建具を適宜制御し、開口部を開放させる（ステップＳ３７）。
以上のようにして居住者の外出中でも通風経路を選出し、建物の換気を始めることができる。なお、このような外出モード中の換気は、タイマー等によってシステムを終了させたり、環境情報に基づいて自動的に終了させたりすることができる。
【００９７】
なお、本実施の形態の通風経路選出システム２０は、その他にも、居住者の就寝中に通風経路の選出を行うとともに、建物の換気を行う就寝モードを選択できるように構成されていてもよいものとする。
この就寝モードは、通常モードと略変わらないものであり、通常モードと大きく異なる点は、通風対象場所の換気回数の基準値が、起きている時（通常モード時）よりも小さく設定されている点と、外気を建物１内部に導入する際の開口部の開口幅の制御に係る点とが挙げられる。
就寝モード中の換気回数の基準値が、通常モード中の換気回数の基準値よりも少ないのは、就寝中の体の冷えを防止するためである。
また、開口部の開口幅を制御するのは、急な雨の際の雨水の浸入や、居住者以外の人間の建物１内部への侵入を防ぐためである。したがって、就寝モード中は、前記シャッター装置３７が特に活用される。
【００９８】
次に、上述の建物１の場合の通風経路の一例を説明する。
図２に示す建物１の１階では、リビング７が通風対象場所に設定されており、キッチン１０が通風非対象の場所または風下にすべき場所に設定されている。
【００９９】
キッチン１０が風下にすべき場所とされ、建物１の周囲の風が、北向きの風Ｗ１（すなわち、図２の下側から上側に向かって吹く風）である場合には、風Ｗ１を、開口部７ａから通風対象場所であるリビング７内に取り込み、ダイニング９を通過させるとともにキッチン１０に流入させ、キッチン１０の開口部１０ａから外部へと排出する通風経路Ａを選出することができる。
【０１００】
また、キッチン１０が通風非対象の場所とされ、建物１の周囲の風が、南西向きの風Ｗ２（すなわち、図２の右上側から左下側に向かって吹く風）である場合には、風Ｗ２を、開口部９ａからダイニング９内に取り込み、キッチン１０を通過させずにリビング７に流入させ、リビング７の開口部７ａから外部へと排出する通風経路Ｂを選出することができる。
【０１０１】
また、キッチン１０が通風非対象の場所または風下にすべき場所とされ、建物１の周囲の風が、南向きの風Ｗ３（すなわち、図２の上側から下側に向かって吹く風）である場合には、風Ｗ３を、キッチン１０に流入させなければならないため、図２中の通風経路Ｃは、通風経路の候補として選出することができない。
【０１０２】
図２に示す建物１の場合、居住者は、環境情報データ２７ａに応じて選択される通風経路Ａ，Ｂのうち、通風経路選出プログラム２６ｂによって選出された通風経路を選択できるようになる。通風経路Ｃは、基本的には選択できず、建物内部情報データ２７ｂの変更が必要となる。
【０１０３】
続いて、図３には建物１の１階が示されており、図４には建物１の２階が示されている。図４に示す建物１の２階では、第１子供部屋１５が通風対象場所に設定されており、第２子供部屋１６が通風非対象場所に設定されている。また、この建物１の周囲には、北北東に風Ｗ４が吹いている。
【０１０４】
図４では、風Ｗ４を、開口部１３ａから２階寝室１３に取り込み、廊下１１を通過させるとともに第１子供部屋１５に流入させ、第１子供部屋１５の開口部１５ｂから外部へと排出する通風経路Ｄと、風Ｗ４を、開口部１６ａから第２子供部屋１６に取り込み、廊下１１を通過させるとともに第１子供部屋１５に流入させ、第１子供部屋１５の開口部１５ｂから外部へと排出する通風経路Ｅとが示されている。
この場合、居住者は、通風経路Ｄ，Ｅのうち、通風非対象場所に設定された第２子供部屋１６を含む通風経路Ｅを選択できず、通風経路Ｄを選択できることになる。
【０１０５】
さらに、居住者は、通風経路Ｄとは他に、補助としての通風経路Ｆを追加選択することができる。通風経路Ｆは、階段６の上端部付近で、通風経路Ｄと合流するようになっており、通風対象場所における通風効果を向上できるようになっている。
なお、このような補助的な通風経路の情報は、前記報知プログラム２６ｄに基づいて居住者にアドバイスとして報知される。
【０１０６】
通風経路選出システム２０によって選出される通風経路は、建物の構造や立地、地域の気候、天気、季節等の様々な要因で、建物内のすべての通気経路の候補の中から選出されるものであるため、上述した通風経路Ａ，Ｂ，Ｃ，Ｄ，Ｅ，Ｆだけに限られず、適宜変更可能である。
【０１０７】
本実施の形態によれば、前記制御部２２と環境情報取得プログラム２６ａ等から構成された環境情報取得手段によって取得した環境情報データ２７ａと、前記建物内部情報データ２７ｂとに基づき、前記制御部２２と通風経路選出プログラム２６ｂ等から構成された通風経路選出手段によって、通風非対象の場所および風下にすべき場所を決定したうえで、通風経路の候補Ａ，Ｂ，Ｃ，Ｄ，Ｅ，Ｆを選出することができるので、居住者は、選出された候補の中から、通風非対象の場所および風下にすべき場所を考慮した通風経路を適宜選択することができる。
これによって、例えば通風によって、トイレ４，１２やキッチン１０の臭気が建物１内部全体に行き渡ってしまったり、他の部屋から独立して空調を行っている部屋の空気環境を阻害してしまったりすることを確実に防ぐことができるので、居住者にとって快適な生活環境を形成することが可能となる。
【０１０８】
また、通風非対象の場所および風下にすべき場所は、トイレ４，１２、キッチン１０等の臭気を発する部屋に設定されているので、建物１内部に流入した風は、通風非対象の場所を避けるとともに、風下にすべき場所を最終通過場所として建物１の外部に排出されることになる。これによって、臭気が通風経路を通じて建物１内部全体に行き渡ることを確実に防ぐことができる。
【０１０９】
また、通風非対象の場所および風下にすべき場所は、病人が居る部屋に設定されているので、建物１内部に流入した風は、通風非対象の場所を避けるとともに、風下にすべき場所を最終通過場所として建物１の外部に排出されることになる。これによって、飛沫として空気中に飛散した病原体や、薬品臭が建物１内部全体に行き渡ることを確実に防ぐことができる。
【０１１０】
また、通風非対象の場所は、他の部屋から独立して空調を行っている部屋に設定されているので、建物１内部に流入した風は、通風非対象の場所を避けて建物１の外部に排出されることになる。これによって、他の場所から独立して空調を行っている場所の空気環境を、建物１内部に流入した風によって阻害されることなく、確実に保持することができる。
【０１１１】
また、居住者の在・不在を検知する人感センサー３３を備えているので、居住者の在・不在を検知することができ、居住者の外出時にも通風を行ったり、反対に、居住者の不在を検知して通風を止めたりすることができる。
また、不在時における通風非対象の場所および風下にすべき場所は、トイレ４，１２、キッチン１０等の臭気を発する部屋に設定されているので、居住者の不在時に通風を行う際でも、臭気が通風経路を通じて建物内部全体に行き渡ることを確実に防ぐことができる。
【０１１２】
また、前記通風経路に係る情報を居住者に報知するための報知プログラム２６ｄを備えているので、この報知手段によって、例えば複数の通風経路を選択肢として表示したり、通風経路の通風効果を表示したり、好適な通風経路をアドバイスしたりすることができる。これによって、居住者は、自身にとって好適な通風経路を任意に選択したり、通風経路の通風効果を適宜確認したり、アドバイスに従って通風経路を選択したりすることができるので、建物１内部において、居住者の意に沿った空気環境を容易に得ることができる。
【０１１３】
また、前記シーリングファン３４や換気扇３５等の通風補助装置は、前記通風対象の場所における換気回数が基準値よりも少ない場合に稼働するように設定されているので、建物１内部に風を流入させても通風対象場所の換気回数が基準値に達しないと判断された場合に、この通風補助装置によって通風補助を行うことができ、前記通風対象場所の換気回数を増加させることができる。
【０１１４】
また、建物１の外壁に、前記開口部３ａを介しての人の侵入や外部からの視線を遮蔽しつつ通気を可能とするシャッター装置３７が設けられているので、居住者の不在時や睡眠中であっても、前記開口部３ａ等を開放して通風を行うことができる。これによって、居住者の不在時や睡眠中であっても建物１内部の空気環境を良好に保つことができるので、帰宅時における熱気等の不快感を軽減したり、真夏の夜の寝苦しさを解消したりすることができる。
【０１１５】
また、玄関ドア２ｂおよび建物１内部のドア３ｄ，７ｂ，１２ｂ等は、候補の中から居住者によって選択される通風経路に応じて開閉制御可能に設定されているので、居住者が通風経路を選択した際に、自動的に玄関ドア２ｂおよび建物１内部のドア３ｄ，７ｂ，１２ｂ等を制御して開放、閉塞させることができる。これによって、建物１内部に風を流入させやすくなるとともに、居住者自身が玄関ドア２ｂや建物１内部のドア３ｄ，７ｂ，１２ｂ等を開閉する手間を省くことができる。
【符号の説明】
【０１１６】
１  建物
２  玄関
３  １階寝室
４  トイレ
５  廊下
６  階段
７  リビングルーム
８  タタミ室
９  ダイニングルーム
１０  キッチンルーム
１１  廊下
１２  トイレ
１３  ２階寝室
１４  書斎
１５  第１子供部屋
１６  第２子供部屋
１７  共用クローゼット
２０  通風経路選出システム
２１  通風経路選出装置
２２  制御部
２５  記憶部
２６  プログラム記憶部
２６ａ  環境情報取得プログラム
２６ｂ  通風経路選出システム
２６ｃ  通風効果判定プログラム
２７  データ記憶部
２７ａ  環境情報データ
２７ｂ  建物内部情報データ
３０  風向・風量センサー
３１  外気温センサー
３２  室温センサー
Ａ  通風経路
Ｂ  通風経路
Ｃ  通風経路
Ｄ  通風経路
Ｅ  通風経路
Ｆ  通風経路
Ｗ１  風
Ｗ２  風
Ｗ３  風
Ｗ４  風
【図１】
0005710954.tif 000002
【図２】
0005710954.tif 000003
【図３】
0005710954.tif 000004
【図４】
0005710954.tif 000005
【図５】
0005710954.tif 000006
【図６】
0005710954.tif 000007
【図７】
0005710954.tif 000008